(57)【特許請求の範囲】
【請求項１】
一方を開口し、内径が並列に配置した大径電池の外径に対応する断面楕円形の筒状の筐体の同開口部に、外径が前記筐体の内径に対応し、内径が前記大径電池と同心円上に配置した中径電池の外径に対応する２つの円孔を有する２孔筒状体を挿入し、同２孔筒状体に外径が２孔筒状体の内径に対応し、内径が小径電池の外径に対応した円筒状体をそれぞれ挿入し、同両円筒状体に外径が小径電池の外径に対応し、その中心に電極を設けた円柱状体をそれぞれ挿入し、前記２孔筒状体および両円筒状体および円柱状体を前記筐体の底部よりバネ等で付勢すると共に、前記筐体の開口部に、電極を内側に設けた蓋をしてなり、外形の異なる電池を同一筐体内に並列に収納できるようにしたことを特徴とする電池ケース。
【請求項２】
一方を開口し、内径が並列に配置した大径電池の外径に対応する断面楕円形の筒状の筐体の同開口部に、外径が前記筐体の内径に対応し、内径が並列に配置した中径電池の外径に対応する筒状体を挿入し、同筒状体に外径が筒状体の内径に対応し、中心が前記中径電池の両中心と同一で、内径が小径電池の外径に対応する円孔をそれぞれ形成した２孔筒状体を挿入し、２孔筒状体の両円孔に、外径が同円孔の内径に対応し、略中心に電極を設けた円柱状体を挿入し、前記筒状体、前記２孔筒状体および前記両円柱状体を前記筐体の底部よりバネ等で付勢すると共に、前記筐体の開口部に、電極を内側に設けた蓋をしてなり、外形の異なる電池を同一筐体内に並列に収納できるようにしたことを特徴とする電池ケース。
【発明の詳細な説明】
【０００１】
【発明の属する技術分野】
本発明は、電池ケースに係わり、とくに外径の異なる電池を収納可能としたものに関する。
【０００２】
【従来の技術】
従来、電池ケースは、通常、その収納する電池の径に合わせて収納部を形成してなり、異なる径の電池を使用することはできない。しかし、このような構成では、地震のような、緊急事態発生時に、使用できる径の電池が無く、他の径の電池を使用しようとしても使用できないという問題がある。そこで、各種外形の収納部を別々に設け、各種径の電池を収納できるようにしたものが考えられている。しかしこの構成では電池ケース全体の大きさが大きくなるという問題があった。そこで、例えば、単１電池のような、大径の電池と同じ外形寸法に形成したアダプタに、単２、単３のような小径電池を収容し、このアダプタを電池ケースの大径電池収納部に収納するようにしたものが実現されている。しかし、この構成では、各種アダプタを用意しなければならないばかりでなく、このアダプタを別に保管しなければならず、もし、アダプタを紛失した場合には使用できなくなるという問題があった。
【０００３】
【発明が解決しようとする課題】
本発明は以上述べた問題点を解決し、アダプタを使用することなく、しかも、省スペースで異径電池の兼用使用を可能とした電池ケースを提供することを目的としている。
【０００４】
【課題を解決するための手段】
本発明は上述の課題を解決するため、一方を開口し、内径が並列に配置した大径電池の外径に対応する断面楕円形の筒状の筐体の同開口部に、外径が前記筐体の内径に対応し、内径が前記大径電池と同心円上に配置した中径電池の外径に対応する２つの円孔を有する２孔筒状体を挿入し、同２孔筒状体に外径が２孔筒状体の内径に対応し、内径が小径電池の外径に対応した円筒状体をそれぞれ挿入し、同両円筒状体に外径が小径電池の外径に対応し、その中心に電極を設けた円柱状体をそれぞれ挿入し、前記２孔筒状体および両円筒状体および円柱状体を前記筐体の底部よりバネ等で付勢すると共に、前記筐体の開口部に、電極を内側に設けた蓋をしてなり、外形の異なる電池を同一筐体内に並列に収納できるようにした電池ケースとする。
【０００５】
また、一方を開口し、内径が並列に配置した大径電池の外径に対応する断面楕円形の筒状の筐体の同開口部に、外径が前記筐体の内径に対応し、内径が並列に配置した中径電池の外径に対応する筒状体を挿入し、同筒状体に外径が筒状体の内径に対応し、中心が前記中径電池の両中心と同一で、内径が小径電池の外径に対応する円孔をそれぞれ形成した２孔筒状体を挿入し、２孔筒状体の両円孔に、外径が同円孔の内径に対応し、略中心に電極を設けた円柱状体を挿入し、前記筒状体、前記２孔筒状体および前記両円柱状体を前記筐体の底部よりバネ等で付勢すると共に、前記筐体の開口部に、電極を内側に設けた蓋をしてなり、外形の異なる電池を同一筐体内に並列に収納できるようにしたことを特徴とする電池ケースとする。
【０００６】
【発明の実施の形態】
以上のように、本発明の電池ケースにおいては、一方を開口し、内径が並列に配置した大径電池の外径に対応する断面楕円形の筒状の筐体の同開口部に、外径が前記筐体の内径に対応し、内径が並列に配置した中径電池の外径に対応する筒状体を挿入し、同筒状体に外径が筒状体の内径に対応する柱状体に、中心が前記中径電池の両中心と同一で、内径が小径電池の外径に対応する円孔をそれぞれ形成した孔空き柱状体を挿入し、同孔空き柱状体の両円孔に、同円孔の内径に対応する電極をそれぞれ形成し、前記筒状体、孔空き柱状体および両電極を前記筐体の底部よりバネ等で付勢すると共に、前記筐体の開口部に、電極を内側に設けた蓋をして構成したので、大径、中径、小径のいずれの電池でも同一筐体内に並列に収納できる。
【０００７】
【実施例】
以下、図面に基づいて本発明による電池ケースを詳細に説明する。図１−（Ａ）は本発明による電池ケースの実施例を示す要部側断面図で、図１（Ｂ）は、図１−（Ａ）のＡ−Ａ断面矢視図である。図に示すように、一方を開口し、内径が並列に配置した大径電池の外径に対応する断面楕円形の筒状の筐体４０の同開口部４０ａに、外径が前記筐体４０の内径に対応し、内径が前記大径電池と同心円上に配置した中径電池の外径に対応する２つの円孔４１ａを有する２孔筒状体４１を挿入し、同２孔筒状体４１の円孔４１ａに外径が２孔筒状体４１の内径に対応し、内径が小径電池の外径に対応した円筒状体４２をそれぞれ挿入し、同両円筒状体４２に外径が小径電池の外径に対応し、その中心に電極４３ａを設けた円柱状体４３をそれぞれ挿入し、前記２孔筒状体４１および両円筒状体４２および円柱状体４３を前記筐体の底部よりコイルバネ５０で付勢すると共に、前記筐体４０の開口部４０ａに、電極６０ａを内側に設けた蓋６０をしてなり、外形の異なる電池を同一筐体内に並列に収納できるようにしている。
【０００８】
また、図２−（Ａ）は本発明による電池ケースの他の実施例を示す要部側断面図で、図２（Ｂ）は、図２−（Ａ）のＡ−Ａ断面矢視図である。図に示すように、一方を開口し、内径が並列に配置した大径電池の外径に対応する断面楕円形の筒状の筐体４０の同開口部４０ａに、外径が前記筐体の内径に対応し、内径が並列に配置した中径電池の外径に対応する筒状体４４を挿入し、同筒状体４４に外径が筒状体４４の内径に対応し、中心が前記中径電池の両中心と同一で、内径が小径電池の外径に対応する円孔４５ａをそれぞれ形成した２孔筒状体４５を挿入し、同２孔筒状体４５の両円孔４５ａに、外径が同円孔４５ａの内径に対応し、略中心に電極４６ａを設けた円柱状体４６をそれぞれ挿入し、前記筒状体４４、２孔筒状体４５および両円柱状体４６を前記筐体４０の底部４０ｂよりコイルバネ５０で付勢すると共に、前記筐体４０の開口部４０ａに、電極６０ａを内側に設けた蓋６０を被せてなり、外形の異なる電池を同一筐体内に並列に収納できるようにしている。
【０００９】
つぎに、図１の実施例の場合を説明する。この場合、大径電池（単１）を並列に並べて開口部４０ａより挿入すると、２孔筒状体４１、円筒状体４２および円柱状体４３が大径電池に押されて筐体４０内に収容されると共に、電極４３ａが同大径電池の一方の電極に触れ、蓋６０を被せることにより、電極６０ａが大径電池の他方の電極に触れて電力を取り出せる状態となる。また、中径電池（単２）を並列に並べて開口部４０ａより、２孔筒状体４１の円孔４１ａ内に挿入すると、円筒状体４２および円柱状体４３が中径電池に押されて筐体４０内に収容されると共に、電極４３ａが同中径電池の一方の電極に触れ、蓋６０を被せることにより、電極６０ａが中径電池の他方の電極に触れて電力を取り出せる状態となる。また、小径電池（単３）２本を開口部４０ａより、円筒状体４２内に挿入すると、円柱状体４３が小径電池に押されて筐体４０内に収容されると共に、電極４３が同小径電池の一方の電極に触れ、蓋６０を被せることにより、電極６０ａが小径電池の他方の電極に触れて電力を取り出せる状態となる。
【００１０】
つぎに、図２の実施例の場合を説明する。この場合、大径電池（単１）を並列に並べて開口部４０ａより挿入すると、筒状体４４、２孔筒状体４５および円柱状体４６が大径電池に押されて筐体４０内に収容されると共に、電極４６ａが同大径電池の一方の電極に触れ、蓋６０を被せることにより、電極６０ａが大径電池の他方の電極に触れて電力を取り出せる状態となる。また、中径電池（単２）を並列に並べて開口部４０ａより、筒状体４４内に挿入すると、２孔筒状体４５および円柱状体４６が中径電池に押されて筐体４０内に収容されると共に、電極４６ａが同中径電池の一方の電極に触れ、蓋６０を被せることにより、電極６０ａが中径電池の他方の電極に触れて電力を取り出せる状態となる。また、小径電池（単３）２本を開口部４０ａより、２孔筒状体４５の円孔４５ａ内に挿入すると、円柱状体４６が小径電池に押されて筐体４０内に収容されると共に、電極４６ａが同小径電池の一方の電極に触れ、蓋６０を被せることにより、電極６０ａが小径電池の他方の電極に触れて電力を取り出せる状態となる。
【００１１】
【発明の効果】
以上説明したように、本発明による電池ケースによれば、一方を開口し、内径が並列に配置した大径電池の外径に対応する断面楕円形の筒状の筐体の同開口部に、外径が前記筐体の内径に対応し、内径が並列に配置した中径電池の外径に対応する筒状体を挿入し、同筒状体に外径が筒状体の内径に対応する柱状体に、中心が前記中径電池の両中心と同一で、内径が小径電池の外径に対応する円孔をそれぞれ形成した孔空き柱状体を挿入し、同孔空き柱状体の両円孔に、同円孔の内径に対応する電極をそれぞれ形成し、前記筒状体、孔空き柱状体および両電極を前記筐体の底部よりバネ等で付勢すると共に、前記筐体の開口部に、電極を内側に設けた蓋をして構成したので、大径、中径、小径のいずれの電池でも同一筐体内に並列に収納でき、アダプタを使用することなく、しかも、省スペースで異径電池の兼用使用を可能とした電池ケースを提供することができる。
【図面の簡単な説明】
【図１】図１−（Ａ）は本発明による電池ケースの一実施例を示す要部側断面図で、（Ｂ）は、（Ａ）のＡ−Ａ断面矢視図である。（Ｃ）は単２電池を実装した状態をしめしている。
【図２】図２−（Ａ）は本発明による電池ケースの他の実施例を示す要部側断面図で、（Ｂ）は、（Ａ）のＡ−Ａ断面矢視図である。
【符号の説明】
４０ 筐体
４０ａ 開口部
４０ｂ 底部
４１ ２孔筒状体
４１ａ 円孔
４２ 円筒状体
４３ 円柱状体
４３ａ 電極
４４ 筒状体
４５ ２孔筒状体
４５ａ 円孔
４６ 円柱状体
４６ａ 電極
５０ コイルバネ
６０ 蓋
６０ａ 電極
７０ バネ
【図１】
0003915220.tif 000002
【図２】
0003915220.tif 000003